(57)【要約】【課題】溝付ボルトを使用する限りにおいて、径の異なるそれらのボルトの共回りを防止しつつ、一方の側から緩めたり、締付けたりすることができるボルトナット締結具及び溝付ボルトを提供する。【解決手段】ナットを係合する中空のソケットと、ソケットを嵌着する筒状部材と、一端に溝に係合する係合部を有し、ソケット及び筒状部材双方の内部を自在に移動する棒状部材と、棒状部材をソケットに向けて布勢する弾性部材と、筒状部材に固定され、把持することによって該筒状部材が回転するのを規制する第１ハンドルと、棒状部材に係着し、該棒状部材を自在に回転させる第２ハンドルと、を備え、棒状部材は、他端に、第２ハンドルが係着する被係着部が形成され、溝に係合する係合位置と該溝から離間する離間位置とを移動する。【選択図】図１
2017222005.tif 000002
【特許請求の範囲】
【請求項１】
先端に溝が形成された溝付ボルトにより被締結物を一方の側からナットで締結するボルトナット締結具であって、
前記ナットを係合する中空のソケットと、
前記ソケットを嵌着する筒状部材と、
一端に前記溝に係合する係合部を有し、前記ソケット及び前記筒状部材双方の内部を自在に移動する棒状部材と、
前記棒状部材を前記ソケットに向けて布勢する弾性部材と、
前記筒状部材に固定され、把持することによって該筒状部材が回転するのを規制する第１ハンドルと、
前記棒状部材に係着し、該棒状部材を自在に回転させる第２ハンドルと、を備え、
前記棒状部材は、他端に、前記第２ハンドルが係着する被係着部が形成され、前記溝に係合する係合位置と該溝から離間する離間位置とを移動することを特徴とするボルトナット締結具。
【請求項２】
前記筒状部材は、一端側に多角形の開口を、他端側に円形の開口を有し、
前記ソケットは、前記筒状部材の前記多角形の開口に嵌着する多角形の外壁を有することを特徴とする請求項１記載のボルトナット締結具。
【請求項３】
前記筒状部材は、両端に円形の開口を有し、前記ソケットが嵌着する部分の壁面に貫通孔が形成され、
前記ソケットは、前記筒状部材の前記円形の開口に嵌着したとき、前記貫通孔に捜通されたネジが嵌通するねじ孔を有することを特徴とする請求項１記載のボルトナット締結具。
【請求項４】
前記筒状部材の前記円形の開口に嵌着し、前記棒状部材を移動自在に支持する支持部材を備え、
前記棒状部材は、前記係合部を着脱自在に捜脱するプラグを有することを特徴とする請求項１から３のうちの何れか1項記載のボルトナット締結具。
【請求項５】
先端に溝が形成され、被締結物をナットで締結することを特徴とする溝付ボルト。
【請求項６】
前記溝は、マイナス若しくはプラスの文字形又は多角形をなし、
前記溝に係合する係合部、及び前記ナットに係合するソケットを有する治具を用いて前記被締結物を一方の側からナットで締結することを特徴とする請求項５記載の溝付ボルト。
【発明の詳細な説明】
【技術分野】
【０００１】
本発明は、先端に溝が形成された溝付ボルトの共回りを防止しつつ、一方の側から締結することが可能なボルトナット締結具及び溝付ボルトに関するものである。
【背景技術】
【０００２】
ボルトナットは、様々な径のものがあり、その都度、それらの径に合致した冶具を用いて締付けたり、緩めたりするのは不便である。そこで、径の異なるボルト等を単一の冶具で締付できる冶具が開発されている。
しかしながら、締付初期段階では、ボルト等を手で持って冶具のインナーソケットに押し込まなければならないので、狭い個所では締付作業ができないという課題がある。そこで、締付初期段階等でもボルト等を手で押さえなくてもよい、ボルトなどの締付ソケットが開発されている（特許文献１、特許文献２参照）。
その場合、内部が中空の構造物の外側から物品を固定する場合や床や地面に設置された低い台座の上に機器を固定する場合には、ボルトナットの一方の側から冶具で締結する必要があるが、ボルトナットの共回りをいかに防ぐかが課題となる。
そこで、端部にフランジが形成されたブラインドナットを第１部材に埋め込み、その上に第２部材を重ね、さらにワッシャーを介してボルトねじで締結し、ワッシャーと第２部材とフランジとが摩擦係合することにより、ボルトとブラインドナットとの共回りを防ぐ締結具及び締結方法が開示されている（特許文献３参照）。
しかしながら、この方法は、構造物がうすい屋根の場合には、屋根が棄損するおそれがある。
そこで、ボルト本体と交差する方向に広がる突出姿勢に回転可能な回転係止部材と、ボルト本体と回転係止部材とを上下動可能に保持する保持部材と、回転係止部材を突出姿勢に向けて回転するように布勢する板ばねとを設け、共回りを防止しつつ、構造物の外側から物品を容易に固定できるようにした固定用ボルトが開示されている（特許文献４参照）。
【先行技術文献】
【特許文献】
【０００３】
【特許文献１】特開２００１−１０５３３３号公報
【特許文献２】特開２００２−３３１４６８号公報
【特許文献３】特開２００１−１７３６２９号公報
【特許文献４】特開２０１４−８４９３５号公報
【発明の概要】
【発明が解決しようとする課題】
【０００４】
しかしながら、特許文献１及び特許文献２に開示された冶具を用いるにあたり、ボルトナットの共回りを防止するは、ボルトナットを例えば特許文献３又は４のように構成する必要がある。すなわち、端部にフランジが形成されたブラインドナットとワッシャーとを用いるか、あるいは回転係止部材と、保持部材と、回転係止部材を布勢する板ばねとで構成された特殊部材及び丸棒状のボルトを用いる必要がある。
本発明は、かかる事情に鑑みてなされたものであり、先端に溝が形成された溝付ボルトを使用する限りにおいて、さまざまな径を有する溝付ボルトの共回りを防止しつつ、一方の側から緩めたり、締付けたりすることができるボルトナット締結具及び溝付ボルトを提供することを目的とする。
【課題を解決するための手段】
【０００５】
本発明のボルトナット締結具は、先端に溝が形成された溝付ボルトにより被締結物を一方の側からナットで締結するボルトナット締結具であって、上記ナットを係合する中空のソケットと、上記ソケットを嵌着する筒状部材と、一端に上記溝に係合する係合部を有し、上記ソケット及び上記筒状部材双方の内部を自在に移動する棒状部材と、上記棒状部材を上記ソケットに向けて布勢する弾性部材と、上記筒状部材に固定され、把持することによって該筒状部材が回転するのを規制する第１ハンドルと、上記棒状部材に係着し、該棒状部材を自在に回転させる第２ハンドルと、を備え、上記棒状部材は、他端に、上記第２ハンドルが係着する被係着部が形成され、上記溝に係合する係合位置と該溝から離間する離間位置とを移動することを特徴とする。
このように、先端に溝が形成された溝付ボルトに対し、ナットを係合する中空のソケット内を、溝付ボルトの先端（溝）に係合する棒状部材が移動するように構成されたボルトナット締結具を用いれば、溝付ボルトとナットの共回りを防止しつつ、一方の側から被締結物を締結することができる。また、ナットに係合するソケットを着脱自在に構成しているので、一端に係合部を設けた棒状部材も溝の形や大きさに応じて取り換えることにより、様々な径の溝付ボルトに適用することができる。
ここで、上記筒状部材は、一端側に多角形の開口を、他端側に円形の開口を有し、上記ソケットは、上記筒状部材の上記多角形の開口に嵌着する多角形の外壁を有することものであってもよいし、上記筒状部材は、両端に円形の開口を有し、上記ソケットが嵌着する部分の壁面に貫通孔が形成され、上記ソケットは、上記筒状部材の上記円形の開口に嵌着したとき、上記貫通孔に捜通されたネジが嵌通するねじ孔を有するものであってもよい。
すなわちソケットを筒状部材に嵌着する方法は、筒状部材の開口の内壁を多角形にする一方、そこに嵌着するソケットの外壁を多角形にしてもよいし、筒状部材の開口の内壁を円形にする一方、そこに嵌着するソケットの外壁を円形にし、相互を共通のねじで螺合してもよい。このようにして筒状部材の回転を抑止すれば、ソケットの回転も抑止されるので、棒状部材を回転させて溝付ボルトを回しても、ナットが共回りすることはない。
その場合、上記筒状部材の上記円形の開口に嵌着し、上記棒状部材を移動自在に支持する支持部材を備え、上記棒状部材は、上記係合部を着脱自在に捜脱するプラグを有するものとすることができる。
このように棒状部材にプラグを設ければ、溝付ボルトに係合する係合部については、棒状部材とは別部品として構成することができる。
【０００６】
本発明の溝付ボルトは、先端に溝が形成され、被締結物をナットで締結することを特徴とする。
ここで、上記溝は、マイナス若しくはプラスの文字形又は多角形をなし、上記溝に係合する係合部、及び上記ナットに係合するソケットを有する治具を用いて上記被締結物を一方の側からナットで締結することができる。
このように、ボルトの先端に溝を設けた溝付ボルトにすれば、溝に係合する係合部とナットに係合するソケットとを有する冶具を用いて、共回りを防止しつつ、ナット側から被締結物を締結することができる。したがって、溝付ボルトのヘッドを任意の形状にすることができるのでヘッドに人体や衣服が触れ場所にも使用することができ、
【発明の効果】
【０００７】
本発明のボルトナット締結具によれば、溝付ボルトとナットの共回りを防止しつつ、一方の側から被締結物を締結することができる。また、ナットに係合するソケットを取り換えることや、係合部又は棒状部材全体を取り換えることにより、様々な径の溝付ボルトにも適用することができる。
本発明の溝付ボルトによれば、ヘッドの形状を任意に選択できるので、ヘッドに人体や衣服に触れる場所で使用することができ、ボルトナット使用の自由度が向上する。
【図面の簡単な説明】
【０００８】
【図１】図１は、第１の実施形態におけるボルトナット締結具を示す図である。
【図２】図２は、第１ハンドルを除外した断面をあらわした本体の正面図である。
【図３】図３は、ドライバービット側から見た本体の側面図である。
【図４】図４は、凹部側から見た本体の側面図である。
【図５】図５は、第２ハンドルの側面図である。
【図６】図６は、第２ハンドルの正面図である。
【図７】図７は、第２ハンドルの背面図である。
【図８】図８は、ドライバービットを一例として示す図である。
【図９】図９は、溝付ボルトの先端に形成された溝を一例として示す図である。
【図１０】図１０は、ソケットの一例を示す側面図である。
【図１１】図１１は、ソケットの一例を示す正面図である。
【図１２】図１２は、ソケットの一例を示す背面図である。
【図１３】図１３は、ソケットの他の例を示す側面図である。
【図１４】図１４は、支持部材の一例を示す図である。
【図１５】図１５は、第１の実施形態の溝付ボルトを例示する図である。
【図１６】図１６は、本実施形態の溝付ボルトにより、被締結物を本実施形態のボルトナット締結具で一方の側から締結する方法を示す図である。
【図１７】図１７は、本実施形態の溝付ボルトにより、被締結物を本実施形態のボルトナット締結具で一方の側から締結する方法を示す図である。
【図１８】図１８は、本実施形態の溝付ボルトにより、被締結物を本実施形態のボルトナット締結具で一方の側から締結する方法を示す図である。
【図１９】図１９は、第２の実施形態のボルトナット締結具の本体及びソケットを示す図である。
【図２０】図２０は、第２の実施形態のボルトナット締結具により一方の側から被締結物を締結する状況を示す図である。
【発明を実施するための形態】
【０００９】
以下に、本発明のボルトナット締結具及び溝付ボルトの実施形態について図に基づいて説明する。
第１の実施形態は、係合部が着脱自在に構成されたボルトナット締結具及びヘッドの形状及び溝の形状が異なる溝付ボルトの実施形態である。
図１は、第１の実施形態におけるボルトナット締結具を示す図である。
図１に示すボルトナット締結具１０は、ナットを係合するソケット１と、そのソケット１を嵌着する筒状部材２と、溝付ボルトの溝に係合するドライバービット（本発明の「係合部」に相当する。以下同じ。）５を有し、ソケット１及び筒状部材２双方の内部を自在に移動する棒状部材３と、棒状部材３をソケット１に向けて布勢するコイルばね（本発明の「弾性部材」に相当する。以下、同じ。）４と、筒状部材２の一方の端に嵌着され、棒状部材３を支持する支持部材２５と、筒状部材２に固定され、手で把持することによってその筒状部材２が回転するのを規制する第１ハンドル６と、を備えている。そして、棒状部材３の筒状部材２から突出した他端には、凹部（本発明の「被係着部」に相当する。以下同じ。）８があり、その凹部８に第２ハンドル７が係着し、第２ハンドル７によって棒状部材３が自在に回転するように構成されている。
【００１０】
本実施形態におけるソケット１は、六角形のナットを係合することができるように一端側内壁１aが六角形に形成されている。そして、筒状部材２は、ソケット１が嵌着する他端側内壁２aがソケット１の他端側外壁１bに嵌着できるように互いに六角形をなしている。
ここで、筒状部材２のソケット１が嵌着する側には、ドライバービット５が通過する丸穴が開いた磁石１３が設置されおり、その筒状部材２に嵌着するソケット１は、磁石１３に吸着される鉄・コバルト・ニッケルなどの金属で形成されているが、磁石１３は必ずしも必要ではない。
また、ソケット１の内壁は、六角ナットに係合するように六角形に形成されているが、ナットの外形にあわせ、例えば八角形にすることもできる。さらに、ソケット１の他端側外壁１ｂ及び筒状部材の他端側内壁２aが共に六角形に形成されているが、相互に嵌着するうえ、ナットの回転も阻止できれば、必ずしも六角形である必要はない。
【００１１】
棒状部材３は、ソケット１及び筒状部材２の内部に挿入され、凹部８が形成された側の反対側には差込ソケット２６が形成されている。そして、その差込ソケット２６に、ドライバービット５が捜脱自在に差し込まれている。
コイルばね４は、筒状部材２の内部、差込ソケット２６と支持部材２５との間に配置され、差込ソケット２６、すなわちドライバービット５はソケット１の一端側に向けて布勢されている。したがって、ドライバービット５は、通常、溝付ボルトの溝に自在に係合する係合位置に留まることが可能であるが、凹部８を手前に引くと、ドライバービット５は、溝９から離間する離間位置に移動可能である。
ドライバービット５が係合位置に留まっているとき、溝付ボルトの溝にドライバービット５を係合させ、次に把持した第１ハンドル６でソケット１をナットに押し込んでナット３２に嵌合させる。そして、第２ハンドル７で棒状部材２を回転させると、ドライバービット５に係合する溝付ボルト３１が回転し、ボルトナットを締結したり、緩めたりすることができる。
ここで、第２ハンドル７は、市販のラチェット式のものを使用することができる。
【００１２】
図２から図４は、第１の実施形態におけるボルトナット締結具の本体を示す図であり、図２は、第１ハンドルを除外した断面をあらわした正面図、図３はドライバービット側から見た側面図、図４は、凹部側から見た側面図である。
図２に示すようにボルトナット締結具１０の本体は、ソケット１を嵌着する筒状部材２と、ドライバービット５と、一端に、差込ソケット２６が形成され、他端に、凹部８が形成された棒状部材３とを備え、筒状部材２には、筒状部材２を把持する第２ハンドル７が筒状部材２の長手方向に回転自在に固定されており、ここでは、第２ハンドル７は、携行に便利なように折り畳まれている。
そして、棒状部材３は、コイルばね４で布勢され、差込ソケット２６には、ドライバービット５が捜脱自在に差し込まれている。
なお、コイルばね４は、筒状部材２の端に嵌着された支持部材２５と差込ソケット２６との間に配置されているので、棒状部材３は、ソケット１に向けて移動自在に布勢されている。
【００１３】
図３に示す本体は、第１ハンドル６は開いた状態となっており、ドライバービット５側から見た側面には、ソケット１が嵌着する筒状部材２の六角形の開口２１があり、六角形の開口２１は、円形の外壁と六角形の内壁２aとにより形成されている。そして、六角形の開口２１の中央には、先端がマイナスの文字形をしたドライバービット５が配置されている。
【００１４】
図４に示す本体は、第２ハンドル７が開いた状態となっており、凹部８側から見た側面には、中央に第２ハンドル７が係着する矩形の開口８aと円形の外壁８bとによって形成された凹部８があり、凹部８の周囲には棒状部材３を支持する支持部材２５によって筒状部材２の円形の開口２２が塞がれている。
【００１５】
図５から図７は、第２ハンドルを示す図であり、図５は側面図、図６は正面図、図７は背面図である。
第２ハンドル７の正面側には、回転方向を規制する係止爪７aがあり、背面側には、棒状部材３の凹部８に係着する矩形の突起部７ｂがある。
本実施形態の第２ハンドルの突起部７ｂを凹部８に係着し、例えば係止爪７aを時計回りに回動させると、第２ハンドル７は、時計回りに回転するのはフリーになり、棒状部材３を回転させることはできないが、第２ハンドル７を反時計回りに回転するときに棒状部材３を反時計回りに回転させることができる。
また、係止爪７aを反時計回りに回動させると、第２ハンドル７は、反時計回りに回転するのはフリーになり、棒状部材３を回転させることはできないが、時計回りに回転するときに棒状部材３を時計回りに回転させることができる。ただし、第２ハンドル７は、必ずしもこの構成のものに限定する必要はない。
【００１６】
図８は、ドライバービットを一例として示す図であり、矢印で示した上段には、溝付ボルトの溝に係合するドライバービット先端の形状を示している。
図８において、（ａ）は、先端５aの形状がマイナスの文字形であるもの、（ｂ）は、先端５aの形状がプラスの文字形のもの、（ｃ）は、先端５aの形状が矩形のもの、（ｄ）は、先端５aの形状が六角形のものを示している。
（ａ）から（ｄ）に示すドライバービット５は、図１又は図２に示す棒状部材３の一端に形成された差込ソケット２６に、後端５ｂを差し込むことにより捜脱される。差込ソケット２６は、例えば差込口が矩形をなしており、その差込口に差し込まれるドライバービット５の後端５ｂも矩形をなしているので、捜脱されたドライバービット５は、棒状部材３と一体になって移動し、かつ棒状部材３と一体となって回転する。
ここで、本実施形態の差込ソケット２６における差込口及びドライバービット５の後端５ｂは共に矩形をなしているが、着脱自在に係合可能であれば、三角形であっても、多角形であってもよい。
また、ドライバービット５の先端５aは、溝付ボルトの先端に形成された溝９の形に応じたものを選択して捜脱する。
【００１７】
図９は、溝付ボルトの先端に形成された溝を一例として示す図である。
図９において、（ａ）は、溝付ボルト３１の先端に形成された溝９がマイナスの文字形のもの、（ｂ）は、溝付ボルトの先端に形成された溝９がプラスの文字形のもの、（ｃ）は、溝付ボルトの先端に形成された溝９が矩形のもの、（ｄ）は、溝付ボルトの先端に形成された溝９が六角形のものを示している。図９に示す（a）から（ｄ）の溝付ボルト３１の溝９には、先端５aの形状が対応する図８の（a）から（ｄ）に示すドライバービット５を用いて締結する。
【００１８】
図１０から図１２は、ソケットの一例を示す図であり、図１０は側面図、図１１は正面図、図１２は背面図である。
本実施形態のソケット１は、ナットが嵌合する一端側の内壁１aは、六角形に形成されている。そして、筒状部材に嵌着する他端側の外壁１ｂは、六角形に形成され、中央には棒状部材３が自在に移動できる円形の開口１ｃがある。
【００１９】
図１３は、ソケットの他の例を示す側面図である。
（ａ）及び（ｂ）は、比較的サイズの小さい溝付ボルトを締結するためのソケット１で、筒状部材２に嵌着する他端側の外壁１ｂのサイズは同じであるものの、ナットが嵌合する一端側の内壁１aは、ナットのサイズに応じて小さくなっている。
【００２０】
図１４は、支持部材の一例を示す図である。
図１４に示すように、支持部材２５は、棒状部材３が内部を自在に移動する筒状の部材で、一方の開口端に鍔２５aがあり、外周には筒状部材２の円形の開口２２に螺合するねじ２５ｂが刻まれている。したがって、棒状部材３を手前に引いたときに、差込ソケット２６によって抑止されるので、棒状部材３が筒状部材２を円滑に移動できるように支持する一方、棒状部材３が筒状部材２から脱落するのを防止できる。
【００２１】
図１５は、第１の実施形態の溝付ボルトを例示する図である。
図１５において、右側の実線の矢印で示すのは、溝付ボルトの先端の平面図であり、左側の破線の矢印で示すのは、溝付ボルトのヘッドの平面図である。
（ａ）の溝付ボルト３１は、ヘッド３１aが六角形をなし、先端にマイナスの文字形の溝９が形成されている。
（ｂ）の溝付ボルト３１は、ヘッド３１aが半球形をなし、先端にプラスの文字形の溝９が形成されている。
（ｃ）の溝付ボルト３１は、ヘッド３１aが半球の縁をカットした形状をなし、先端に矩形の溝９が形成されている。なお、ヘッド３１aにはプラスの文字形の溝９が設けられている。
ここで、（a）や（ｂ）における溝は、両端が塞がれたものであっても、開放されたものであってもよい。
ここで、溝付ボルト３１のヘッド３１aは、図で例示した六角形や半球形に限定する必要はなく、うすい平面状のものであってもよい。溝付ボルトのヘッド３１aをスパナやレンチで係止することができない場合は、本実施形態のボルトナット締結具１０を適用することが極めて有効である。
すなわち、本実施形態のボルトナット締結具１０を用いれば、溝付ボルト３１のヘッド３１aの形状を任意に選択できるので、人体や衣服にボルトナットが触れやすい場所であっても使用することができるので、ボルトナットによる締結の自由度が向上する。
【００２２】
図１６から図１８は、本実施形態の溝付ボルトに、本実施形態のボルトナット締結具を用いて一方の側から被締結物を締結する方法を示す図である。
図１６は、溝付ボルトの溝に対応するドライバービット５を装着した本実施形態のボルトナット締結具１０の本体に、ナット３２の大きさに適合したソケット１を装着するとともに第１ハンドル６を開き、棒状部材３の凹部８に第２ハンドル７を係着した状態を示している。
なお、溝付ボルト３１は被締結物に捜通し、溝付ボルト３１にはナット３２が緩く螺合されている。
図１７は、ドライバービット５の先端を溝付ボルト３１の溝９に係合させた後、第１ハンドル６を使って、ナット３２にソケット１を嵌合させる。このとき、ドライバービット５の先端は、コイルばね４の布勢力に抗して少し押し戻されるが、それによってドライバービット５の先端と溝付ボルトの溝９との係合が強まる。
図１８は、第２ハンドルの図示しない係止爪７aを時計方向に回転させ、第２ハンドル７を反時計方向に繰り返し回転させる。それにより、溝付ボルト３１は時計方向に回転するので、ヘッド３１aとナット３２との間隔が縮まり、被締結物は強固に締結される。
ここでは、締付ける場合について説明したが、溝付ボルト３１を、締付ける方向とは逆向きに回転させれば、ナット３２を緩めることができる。
【００２３】
［第２の実施形態］
第２の実施形態は、ボルトナット締結具が、第１の実施形態のボルトナット締結具に比べて、ソケット、及び本体のうちの筒状部材のソケットとの嵌着手段、棒状部材とドライバービットとの結合手段が相違するものの、それ以外の構成要素は共通する。また、棒状部材３の凹部８に係着する第２ハンドルも共通し、被締結物を締結する溝付ボルトも共通する。したがって、共通するものに対する重複説明は省略し、ボルトナット締結具のうちの相違するソケット及び本体について説明する。
図１９は、第２の実施形態のボルトナット締結具の本体及びソケットを示す図である。
図１９に示すボルトナット締結具２０は、溝付ボルト３１に締結するナット３２を係合するソケット１８と、本体に係着する第２ハンドル７（図示しない）とを備えている。
そして、本体は、ソケット１８を嵌着する筒状部材１７と、ソケット１８及び筒状部材１７双方の内部を自在に移動する棒状部材１６と、棒状部材１６をソケット１８に向けて布勢するコイルばね４と、筒状部材１７の一方の端に嵌着され、棒状部材１６を支持する支持部材２５と、筒状部材１７に固定され、手で把持することによってその筒状部材１７が回転するのを規制する第１ハンドル６と、を備えている。また、棒状部材１６は、一端には、溝付ボルト３１の溝９に係合するドライバービット５が形成され、筒状部材１７から突出した他端には、図示しない第２ハンドル７が係着する凹部８が形成されている。この凹部８に係着する第２ハンドル７によって棒状部材１６、すなわちドライバービット５を自在に回転させることができる。
本実施形態における筒状部材１７は、両端に円形の開口２２があり、ソケット１８が嵌着する部分の壁面には貫通孔２３が形成されている。また、筒状部材１７のソケット１８が嵌着する側には、ドライバービット５が通過する丸穴が開いた磁石１３が設置されており、その筒状部材１７に嵌着するソケット１８は、磁石１３に吸着される鉄・コバルト・ニッケルなどの金属で形成されている。しかしながら、磁石１３は必ずしも必要としないので、その場合のソケット１８は、必ずしも鉄・コバルト・ニッケルなどで形成する必要はない。
ソケット１８は、六角形のナットを係合することができるように一端側の内壁１aが六角形に形成されているが、他端側の外壁１bは、第１の実施形態のそれとは異なり、円形に形成され、筒状部材１７の円形の開口２２に嵌着したとき、その貫通孔２３に捜通されたネジが嵌通するねじ孔１２を設けてある。
従って、筒状部材１７にソケット１８を嵌着し、貫通孔２３及びねじ孔１２に共通のネジを螺合させれば、ソケット１８は、筒状部材２にしっかりと固定されるので、第１ハンドル６で筒状部材１７を把持し、第２ハンドル７でドライバービット５を回転させて溝付ボルト３１を回しても、溝付ボルト３１とナット３２との共回りを防止することができる。
【００２４】
図２０は、第２の実施形態のボルトナット締結具により一方の側から被締結物を締結する状況を示す図である。
図２０に示すボルトナット締結具２０は、溝付ボルト３１の溝９に係合するドライバービット５が一体的に形成された棒状部材１６と、その棒状部材１６が内部を自在に移動する筒状部材１７と、棒状部材１６が筒状部材１７を円滑に移動できるように支持する一方、棒状部材１６が筒状部材１７から脱落するのを防止する支持部材２５と、棒状部材１６を布勢するコイルばね４と、筒状部材１７に固定され回動自在な第１ハンドル６と、棒状部材１６の他端に形成された凹部８に係着する第２ハンドル７と、を備えている。
第１ハンドル６を手前に引き、第１ハンドルと第２ハンドル７との間隔を短くして、ドライバービット５を溝付ボルト３１先端の溝９に係合させる。次に、第１ハンドル６をコイルばね４の布勢力で先方に送り出し、被締結物にソケット１８を押し付け、ナット３２にソケット１８を係合させる。そして第２ハンドル７でドライバービット５を回転させることにより、共回りを防止しつつ、溝付ボルト３１を被締物に締結させることができる。
なお、ナット３２を緩める場合は、同様の動作の後、ドライバービット５の回転方向を逆向きにすればよい。
【産業上の利用可能性】
【００２５】
本発明のボルトナット締結具は、各種建築土木工事、産業機械の組み立て作業やメンテナンスのほか、一般家庭における日用品の維持・修繕作業に使用できる。また、本発明の溝付ボルトは、ガード、囲障、足場などの各種建築土木工事、各種機器や産業機械、日用品などに使用できる。
【符号の説明】
【００２６】
１、１８    ソケット
１a   一端側の内壁
１ｂ  他端側の外壁
１ｃ  円形の開口
２、１７    筒状部材
３、１６    棒状部材
４    コイルばね
５  ドライバービット
５a   先端
５ｂ  後端
６  第１ハンドル
７  第２ハンドル
７a 係止爪
７ｂ  突起部
８  凹部
８a   矩形の開口
８ｂ  円形の開口
９  溝
１０、２０  ボルトナット締結具
１２    ねじ孔  
１３    磁石
２１    六角形の開口
２２    円形の開口
２３    貫通孔
２４    ねじ
２５    支持部材
２５a  鍔
２５ｂ  ねじ
２６    差込ソケット
３１  溝付ボルト
３１a ヘッド
３２  ナット
【図１】
2017222005.tif 000003
【図２】
2017222005.tif 000004
【図３】
2017222005.tif 000005
【図４】
2017222005.tif 000006
【図５】
2017222005.tif 000007
【図６】
2017222005.tif 000008
【図７】
2017222005.tif 000009
【図８】
2017222005.tif 000010
【図９】
2017222005.tif 000011
【図１０】
2017222005.tif 000012
【図１１】
2017222005.tif 000013
【図１２】
2017222005.tif 000014
【図１３】
2017222005.tif 000015
【図１４】
2017222005.tif 000016
【図１５】
2017222005.tif 000017
【図１６】
2017222005.tif 000018
【図１７】
2017222005.tif 000019
【図１８】
2017222005.tif 000020
【図１９】
2017222005.tif 000021
【図２０】
2017222005.tif 000022